(57)【要約】【課題】小型で複数箇所に流体を給送することができる電動ポンプ装置を提供すること。【解決手段】電動ポンプ装置１１は、単一のモータ１２、モータ１２の駆動力にて空気を吐出口から吐出するポンプ部１４と、吐出口と連通可能な複数のアウトレットＢ１〜Ｂ４を有しモータ１２の駆動力にて吐出口と連通されるアウトレットＢ１〜Ｂ４を切り替える流路切替部１５とを備える。【選択図】図１
2018204591.tif 000002
【特許請求の範囲】
【請求項１】
単一のモータと、
前記モータの駆動力にて流体を吐出口から吐出するポンプ部と、
前記吐出口と連通可能な複数のアウトレットを有し前記モータの駆動力にて前記吐出口と連通されるアウトレットを切り替える流路切替部と
を備えたことを特徴とする電動ポンプ装置。
【請求項２】
請求項１に記載の電動ポンプ装置であって、
前記流路切替部は、
前記モータの駆動力にて直線動作する直動部材と、
前記直動部材とその直線動作方向に当接可能に設けられ、前記直動部材の直線動作により付勢されることで周方向に回転して前記吐出口と連通される前記アウトレットを切り替える回転部材と
を有することを特徴とする電動ポンプ装置。
【請求項３】
請求項２に記載の電動ポンプ装置であって、
前記直動部材及び前記回転部材の少なくとも一方には、周方向に傾斜した傾斜面が設けられ、その傾斜面によって前記直動部材の直線動作が前記回転部材の回転動作に変換されることを特徴とする電動ポンプ装置。
【請求項４】
請求項２又は３に記載の電動ポンプ装置であって、
前記直動部材は、前記モータの駆動力にて一方向に付勢されて動作し、
前記流路切替部は、前記直動部材を他方向に付勢する付勢部材を有することを特徴とする電動ポンプ装置。
【請求項５】
請求項４に記載の電動ポンプ装置であって、
前記ポンプ部は、シリンダと該シリンダ内を前記モータの駆動力にて往復動するピストンとを有し、
前記直動部材は、前記ピストンにて付勢されて動作することを特徴とする電動ポンプ装置。
【発明の詳細な説明】
【技術分野】
【０００１】
本発明は、電動ポンプ装置に関するものである。
【背景技術】
【０００２】
従来、電動ポンプ装置としては、シリンダ内のピストンをモータの駆動力にて駆動させて圧縮空気を生成し、シリンダの吐出口から圧縮空気を吐出し、該吐出口と連通したノズル口からカメラ等の車載センサのセンシング面（レンズやカバーガラス等）に空気を噴射するものがある（例えば、特許文献１及び２参照）。
【０００３】
ところで、近年、車両にはカメラ等の車載センサが複数設けられ、各車載センサ毎にノズル口が設けられることがある（例えば、特許文献３参照）。このような場合では、例えば、車載センサ毎（ノズル口毎）に電動ポンプ装置を設けて各ノズル口から流体を噴射することが考えられる。
【０００４】
また、比較的面積の大きいカバーガラスに対しては複数のノズル口を並設し、その上流で流体を分岐させて各ノズル口から流体を同時に噴射させるものがある（例えば、特許文献４参照）。
【先行技術文献】
【特許文献】
【０００５】
【特許文献１】国際公開（ＷＯ）２０１５／１５９７６３号
【特許文献２】特開２０１５−８３８３０号公報
【特許文献３】特開２００７−５３４４８号公報
【特許文献４】特開２００２−２４０６２８号公報
【発明の概要】
【発明が解決しようとする課題】
【０００６】
しかしながら、上記のようなノズル口毎に電動ポンプ装置を設ける構成では、複数の電動ポンプ装置が必要となり、体積や重量が増大し、ひいてはコストが増大してしまう。また、上記のような流体を分岐させて各ノズル口から流体を同時に噴射させる構成では、電動ポンプ装置を単一とすることができるもののノズル口の１つ当たりの噴射量が減少してしまうため、電動ポンプ装置を大型化させる必要が生じ、同じく体積や重量が増大し、ひいてはコストが増大してしまう。
【０００７】
本発明は上記問題点を解消するためになされたものであって、その目的は、小型で複数箇所に流体を給送することができる電動ポンプ装置を提供することにある。
【課題を解決するための手段】
【０００８】
上記課題を解決する電動ポンプ装置は、単一のモータと、前記モータの駆動力にて流体を吐出口から吐出するポンプ部と、前記吐出口と連通可能な複数のアウトレットを有し前記モータの駆動力にて前記吐出口と連通されるアウトレットを切り替える流路切替部とを備える。
【０００９】
同構成によれば、単一のモータの駆動力にてポンプ部の吐出口から流体を吐出させることができるとともに流路切替部によって同じモータの駆動力にて吐出口と連通されるアウトレットを切り替えることができる。よって、単一のモータを有した構成で複数のアウトレットから順次流体を給送させることができ、例えば複数のノズル口から順次流体を噴射させることができる。即ち、同構成では、例えば、ノズル口毎に電動ポンプ装置（モータ及びポンプ部）を設ける構成に比べて電動ポンプ装置（モータ及びポンプ部）の数を減らすことができ、流体を分岐させるものに比べて電動ポンプ装置（モータ及びポンプ部）の小型化を図ることができ、小型としながら複数箇所に流体を良好に給送することができる。
【００１０】
上記電動ポンプ装置であって、前記流路切替部は、前記モータの駆動力にて直線動作する直動部材と、前記直動部材とその直線動作方向に当接可能に設けられ、前記直動部材の直線動作により付勢されることで周方向に回転して前記吐出口と連通される前記アウトレットを切り替える回転部材とを有することが好ましい。
【００１１】
同構成によれば、モータの駆動力にて直動部材が直線動作されると、直動部材の直線動作により付勢されることで回転部材が周方向に回転して吐出口と連通されるアウトレットが切り替えられる。よって、具体的に、複数のアウトレットから順次流体を給送させることができる。
【００１２】
上記電動ポンプ装置であって、前記直動部材及び前記回転部材の少なくとも一方には、周方向に傾斜した傾斜面が設けられ、その傾斜面によって前記直動部材の直線動作が前記回転部材の回転動作に変換されることが好ましい。
【００１３】
同構成によれば、直動部材及び回転部材の少なくとも一方に設けられた周方向に傾斜した傾斜面によって直動部材の直線動作が回転部材の回転動作に変換され、吐出口と連通されるアウトレットが切り替えられる。よって、具体的に、複数のアウトレットから順次流体を給送させることができる。
【００１４】
上記電動ポンプ装置であって、前記直動部材は、前記モータの駆動力にて一方向に付勢されて動作し、前記流路切替部は、前記直動部材を他方向に付勢する付勢部材を有することが好ましい。
【００１５】
同構成によれば、直動部材は、モータの駆動力にて一方向に付勢されて動作し、付勢部材の付勢力にて他方向に付勢されて動作する。このようにすると、モータの駆動力を一方向にのみ伝達すればよく、モータと直動部材とを駆動連結する構成が簡単となる。
【００１６】
上記電動ポンプ装置であって、前記ポンプ部は、シリンダと該シリンダ内を前記モータの駆動力にて往復動するピストンとを有し、前記直動部材は、前記ピストンにて付勢されて動作することが好ましい。
【００１７】
同構成によれば、直動部材は、ポンプ部のピストンにて付勢されて動作するため、ポンプ部のピストンが直動部材を一方向に付勢する機構を兼ねることになり、例えば直動部材を付勢する機構を別途有する構成に比べて、簡単な構成とすることができる。
【発明の効果】
【００１８】
本発明の電動ポンプ装置では、小型で複数箇所に流体を給送することができる。
【図面の簡単な説明】
【００１９】
【図１】一実施形態における車載センサ洗浄装置の斜視図。
【図２】一実施形態におけるカメラユニットの正面図。
【図３】一実施形態における電動ポンプ装置の平面図。
【図４】一実施形態における電動ポンプ装置の一部断面図。
【図５】一実施形態における電動ポンプ装置の一部断面図。
【図６】一実施形態における電動ポンプ装置の一部断面図。
【図７】一実施形態における流路切替部の分解斜視図。
【図８】一実施形態における流路切替部の一部断面斜視図。
【図９】一実施形態における流路切替部の一部断面斜視図。
【図１０】一実施形態における流路切替部の一部断面斜視図。
【図１１】一実施形態における流路切替部の一部断面斜視図。
【図１２】一実施形態における流路切替部の一部断面斜視図。
【図１３】一実施形態における流路切替部の一部断面斜視図。
【図１４】一実施形態における流路切替部の平面図。
【図１５】別例におけるカメラユニットの正面図。
【図１６】別例におけるカメラユニットの正面図。
【図１７】別例におけるカメラユニットの正面図。
【図１８】別例における流路切替部の平面図。
【図１９】（ａ）〜（ｆ）は別例における流路切替部の平面図。
【図２０】別例における車載センサ洗浄装置の模式構成図。
【図２１】別例における車載センサ洗浄装置の概略図。
【図２２】別例における車載センサ洗浄装置の概略図。
【発明を実施するための形態】
【００２０】
以下、車載センサ洗浄装置の一実施形態を図１〜図１４に従って説明する。
図１に示すように、車両に設けられるカメラユニット１は、筐体２と、筐体２に固定された車載センサとしての車載カメラ３とを備え、筐体２が車両に固定される。筐体２には、車両の外部に露出するセンシング面としてのカバーガラス４が設けられ、車載カメラ３は、カバーガラス４を介して車両の外部を撮像する。なお、本実施形態のカバーガラス４は、外表面が平坦面であって重力方向に対して水平方向の辺が長い長方形形状に形成されている。
【００２１】
また、図１及び図２に示すように、筐体２には、複数の（第１から第４の）インレットＡ１〜Ａ４（図１参照）と、該インレットＡ１〜Ａ４とそれぞれ（独立して）連通した複数の（第１から第４の）ノズル口Ｎ１〜Ｎ４（図２参照）とが設けられている。各ノズル口Ｎ１〜Ｎ４は、それぞれカバーガラス４に向けて流体を噴射可能に開口しており、カバーガラス４の反重力方向側の一辺（上側の辺）に沿って並設され、各噴射軸線Ｆ１〜Ｆ４がカバーガラス４の正面から見て重力方向を向くように（平行に並ぶように）設定されている。また、本実施形態のノズル口Ｎ１〜Ｎ４は、その開口端に向かうほど幅が広くなるように形成されている。
【００２２】
また、図１に示すように、車両には、電動ポンプ装置１１が設けられている。電動ポンプ装置１１は、単一のモータ１２と、該モータ１２の駆動力にて流体を後述する吐出口１３（図４参照）から吐出するポンプ部１４と、前記吐出口１３と連通可能な複数の（第１から第４の）アウトレットＢ１〜Ｂ４を有しモータ１２の駆動力にて吐出口１３と連通されるアウトレットＢ１〜Ｂ４を切り替える流路切替部１５とを備える。そして、第１から第４のアウトレットＢ１〜Ｂ４には、それぞれホースＨを介して前記第１から第４のインレットＡ１〜Ａ４が連通され、電動ポンプ装置１１を駆動させると、第１から第４のノズル口Ｎ１〜Ｎ４から順次、流体としての空気（圧縮空気）を噴射させることが可能とされている。
【００２３】
詳しくは、図３に示すように、モータ１２は、電機子１６がヨーク１７内に収容されてなるモータ本体部１８と、電機子１６の回転軸１９と一体回転するウォーム２０及び該ウォーム２０と噛合するウォームホイール２１とがギヤハウジング２２内に収容されてなる減速部２３とを有する。
【００２４】
ポンプ部１４は、前記ギヤハウジング２２と一体的に形成された筒状のシリンダ２４と、該シリンダ２４内をモータ１２の駆動力にて往復動するピストン２５とを有する。ピストン２５は、前記ウォームホイール２１における軸中心からずれた位置に一端が回転自在に連結された伝達ロッド２６の他端と回転自在に連結されることで、モータ１２が駆動されてウォームホイール２１が回転するとシリンダ２４の軸方向に往復動する。
【００２５】
また、図４〜図６に示すように、シリンダ２４の一端開口部には、シリンダエンド２７が固定されている。シリンダエンド２７の中央には貫通孔２７ａが形成され、該貫通孔２７ａのシリンダ外部側端部が前記吐出口１３とされている。そして、後述する直動部材３１に一体的に成形された弁部３２が後述する付勢部材としての圧縮コイルばね３３にて吐出口１３側に付勢され、該弁部３２から延びる軸部３２ａが前記貫通孔２７ａを貫通するように（先端側がシリンダ２４内に突出するように）配置されている。なお、弁部３２における吐出口１３と対向する側には、軸部３２ａに外嵌されるようにシールゴム３４が固着されている。
【００２６】
よって、ポンプ部１４は、ピストン２５が往動されると、軸部３２ａがピストン２５にて付勢されて弁部３２が圧縮コイルばね３３の付勢力に抗して開動作し、吐出口１３から圧縮された空気が吐出される。
【００２７】
図４〜図７に示すように、流路切替部１５は、ポンプ部１４のシリンダエンド２７の外縁に固定される略有底筒状のケース３５と、該ケース３５内に収容される前記直動部材３１、直動回転部材３６及び回転切替部材３７と、径の異なる圧縮コイルばね３３，３８とを有する。なお、本実施形態では、直動回転部材３６と回転切替部材３７とが回転部材を構成している。また、本実施形態では、前記シリンダエンド２７の一部が流路切替部１５の一部を構成している。
【００２８】
詳しくは、図７に示すように、シリンダエンド２７には、ケース３５の基端側に内嵌される筒部２７ｂが形成され、筒部２７ｂの先端側には径方向内側に突出するとともに更に軸方向に延びる周方向に複数の固定凸部２７ｃが形成されている。なお、本実施形態の固定凸部２７ｃは周方向に等角度（３０°）間隔で１２個形成されている。各固定凸部２７ｃの先端面には、周方向に傾斜した（詳しくは、先端側から見て時計回り方向側に向かうほど軸方向高さが低くされた）傾斜面２７ｄが形成されている。
【００２９】
また、ケース３５におけるシリンダエンド２７とは反対側の端部である底部３５ａには、前記第１から第４のアウトレットＢ１〜Ｂ４（図７参照）が等角度（９０°）間隔で形成されている。また、図４〜図６に示すように、底部３５ａの中央には、シリンダエンド２７側に延びる筒状の大径筒部３５ｂが形成され、該大径筒部３５ｂの先端には径が小さくされてシリンダエンド２７側に更に延びる有底筒状の小径筒部３５ｃが形成されている。
【００３０】
図７に示すように、前記直動部材３１は、前記弁部３２の外縁から径方向外側に延びる円盤部３１ａと、該円盤部３１ａの外縁から軸方向に延びる筒部３１ｂと、該筒部３１ｂの先端側から径方向外側に突出するとともに更に軸方向に延びる周方向に複数の直動凸部３１ｃとを有する。なお、本実施形態の直動凸部３１ｃは周方向に等角度（３０°）間隔で１２個形成されている。この直動凸部３１ｃは、前記固定凸部２７ｃ同士の周方向の間に配置され、固定凸部２７ｃに対して周方向に移動不能且つ軸方向に移動可能に設けられ、これにより、直動部材３１は直線動作のみ許容されることになる。各直動凸部３１ｃの先端面には、周方向に傾斜した（詳しくは、先端側から見て時計回り方向側に向かうほど軸方向高さが低くされた）傾斜面３１ｄが形成されている。また、円盤部３１ａには、空気を通すための通気孔３１ｅが複数形成されている。また、図４に示すように、直動部材３１は、前記小径筒部３５ｃに一端側が外嵌されて大径筒部３５ｂとの段差に支持された前記圧縮コイルばね３３にて前記弁部３２とともにシリンダエンド２７側（吐出口１３側）に付勢されている。
【００３１】
直動回転部材３６は、前記直動部材３１の筒部３１ｂよりも径の小さい筒部３６ａと、該筒部３６ａの基端側（前記吐出口１３側）から径方向内側に延出する内延部３６ｂ（図４参照）と、前記筒部３６ａの先端側から径方向外側に突出する周方向に複数の直動回転凸部３６ｃとを有する。なお、本実施形態の直動回転凸部３６ｃは周方向に等角度（６０°）間隔で６個形成されている。各直動回転凸部３６ｃの基端面には、周方向に傾斜した（詳しくは、前記固定凸部２７ｃの傾斜面２７ｄ及び前記直動凸部３１ｃの傾斜面３１ｄに沿った）傾斜面３６ｄが形成されている。直動回転部材３６は、その筒部３６ａの基端側が前記直動部材３１の筒部３１ｂ内に収容され、その直動回転凸部３６ｃが前記固定凸部２７ｃの傾斜面２７ｄ及び前記直動凸部３１ｃの傾斜面３１ｄとそれぞれ軸方向に当接可能に設けられている。また、直動回転凸部３６ｃは、直動回転部材３６が吐出口１３側にある状態で前記固定凸部２７ｃ同士の周方向の間に配置可能とされ、この状態では直動回転部材３６は直線動作のみ許容され、直動回転部材３６が反吐出口１３側にある状態では直動回転部材３６は回転動作も許容されることになる。
【００３２】
回転切替部材３７は、前記直動回転部材３６の先端側を収容可能な収容筒部３７ａと、該収容筒部３７ａの先端側から径方向内側に延びてケース３５の底部３５ａと対向する円盤部３７ｂとを有する。また、収容筒部３７ａの内面には、前記直動回転凸部３６ｃと周方向に係合する係合凸部３７ｃ（図４参照）が周方向に複数（６個）設けられ、回転切替部材３７は、直動回転部材３６と一体回転可能（相対回転不能）に設けられるとともに直動回転部材３６と直線動作方向に移動可能に設けられる。そして、回転切替部材３７の円盤部３７ｂと直動回転部材３６の内延部３６ｂとの軸方向の間には、圧縮コイルばね３８が圧縮された状態で介在されている。これにより、回転切替部材３７（円盤部３７ｂ）はケース３５の底部３５ａに押圧接触され、直動回転部材３６は吐出口１３側に付勢されている。そして、円盤部３７ｂには、連通孔３７ｄが設けられ、回転切替部材３７はその回転位置に応じて前記第１から第４のアウトレットＢ１〜Ｂ４の少なくとも１つを閉塞して（連通して）前記吐出口１３と連通される前記アウトレットＢ１〜Ｂ４を切り替えることが可能とされている。
【００３３】
具体的には、図７及び図１４に示すように、本実施形態の連通孔３７ｄは、等角度（１２０°）間隔で３つ形成され、３０°回転する毎に異なるアウトレットＢ１〜Ｂ４が順次、１つの連通孔３７ｄを介して吐出口１３と連通されるように構成されている。即ち、図１４に示す状態では、連通孔３７ｄは第１のアウトレットＢ１と一致した位置にあり、第１のアウトレットＢ１は連通孔３７ｄを介して吐出口１３（図４参照）と連通され、他の第２から第４のアウトレットＢ２〜Ｂ４は円盤部３７ｂによって閉塞され吐出口１３と連通していない状態となっている。そして、図１４に示す状態から、例えば、回転切替部材３７が反時計回り方向に３０°回転すると、（図１４中、左上の）連通孔３７ｄが第２のアウトレットＢ２と一致した位置となり、第２のアウトレットＢ２が連通孔３７ｄを介して吐出口１３と連通される。そして、その状態から更に回転切替部材３７が反時計回り方向に３０°回転すると、（図１４中、右上の）連通孔３７ｄが第３のアウトレットＢ３と一致した位置となり、第３のアウトレットＢ３が連通孔３７ｄを介して吐出口１３と連通される。そして、その状態から更に回転切替部材３７が反時計回り方向に３０°回転すると、（図１４中、下の）連通孔３７ｄが第４のアウトレットＢ４と一致した位置となり、第４のアウトレットＢ４が連通孔３７ｄを介して吐出口１３と連通される。そして、その状態から更に回転切替部材３７が反時計回り方向に３０°回転すると、（図１４中、左上の）連通孔３７ｄが第１のアウトレットＢ１と一致した位置となり、第１のアウトレットＢ１が連通孔３７ｄを介して吐出口１３と連通され、このような繰り返しで、アウトレットＢ１〜Ｂ４が順次、連通孔３７ｄを介して吐出口１３と連通されることになる。なお、本実施形態の前記傾斜面２７ｄ，３１ｄ，３６ｄは、その傾斜方向が逆向きに図示されており、上記した回転切替部材３７の回転方向とは対応していない。
【００３４】
次に、上記した車載センサ洗浄装置の作用について説明する。
まず、図４及び図８に示すように、ピストン２５が下死位置（シリンダエンド２７から最も離間した位置）にある状態では、直動部材３１がシリンダエンド２７側にあり、吐出口１３が弁部３２にて閉塞されている。また、この状態では直動部材３１の直動凸部３１ｃが固定凸部２７ｃ同士の間に埋没し、直動回転部材３６の直動回転凸部３６ｃが固定凸部２７ｃ同士の間に入り込んでおり、直動回転部材３６及び回転切替部材３７の周方向の移動（回転）は規制されている。
【００３５】
次に、図５に示すように、前記モータ１２が駆動され、ピストン２５が往動されると、ピストン２５が直動部材３１の軸部３２ａに当接するまでシリンダ２４内の空気が圧縮される。
【００３６】
そして、次に、ピストン２５が更に往動されることで、該ピストン２５にて軸部３２ａが付勢され、弁部３２を含む直動部材３１が圧縮コイルばね３３の付勢力に抗して先端側（ケース３５の底部３５ａ側）に僅かに直線動作すると、弁部３２が開動作して吐出口１３から圧縮された空気が吐出される。そして、このとき、例えば、前記連通孔３７ｄと一致した位置にあり吐出口１３と連通した第１のアウトレットＢ１から空気が噴射される。すると、空気はホースＨ（図１参照）を介して第１のインレットＡ１に給送され、第１のノズル口Ｎ１（図２参照）からカバーガラス４に向かって噴射される。なお、このとき、直動回転部材３６もその直動回転凸部３６ｃが直動凸部３１ｃに付勢されることで圧縮コイルばね３８の付勢力に抗して先端側（ケース３５の底部３５ａ側）に僅かに直線動作する。
【００３７】
そして、次に、図９に示すように、前記ピストン２５の往動により直動部材３１（直動凸部３１ｃ）が更に先端側に直線動作すると、予め設定された位置であって直動回転凸部３６ｃが固定凸部２７ｃと周方向に当接しなくなる位置までは、直動回転部材３６も先端側（ケース３５の底部３５ａ側）に直線動作する。
【００３８】
そして、図６及び図１０に示すように、ピストン２５の往動により直動部材３１（直動凸部３１ｃ）が更に先端側に直線動作すると、前記予め設定された位置を越えて直動回転凸部３６ｃが固定凸部２７ｃと周方向に当接しなくなり、傾斜面３１ｄ，３６ｄによって直線動作が回転動作に変換されて直動回転部材３６及び回転切替部材３７が回転する。
【００３９】
そして、次に、図１１に示すように、直動回転部材３６の直動回転凸部３６ｃが固定凸部２７ｃと軸方向に並んだ状態（周方向の位置が一致した状態）となる。
そして、次に、図１２に示すように、前記ピストン２５が復動されて直動部材３１の直動凸部３１ｃが固定凸部２７ｃ同士の間に埋没すると、傾斜面２７ｄ，３６ｄによって圧縮コイルばね３８による直線動作が回転動作に変換されて直動回転部材３６及び回転切替部材３７が更に回転する。
【００４０】
そして、次に、図１３に示すように、直動回転部材３６の直動回転凸部３６ｃは、最初の状態（図８参照）の隣りの固定凸部２７ｃ同士の間に入り込み、直動回転部材３６及び回転切替部材３７の周方向の移動（回転）が規制される。そして、このとき、例えば、連通孔３７ｄは第２のアウトレットＢ２と一致した位置となり、次に開弁される際には吐出口１３と連通した第２のアウトレットＢ２から空気が噴射されることになる。
【００４１】
このような作動を繰り返すことにより、第１から第４のノズル口Ｎ１〜Ｎ４から予め設定された順番で空気が順次噴射されることになる。本実施形態では、予め設定された順番は、各ノズル口Ｎ１〜Ｎ４が１つずつ選択されるとともに各ノズル口Ｎ１〜Ｎ４が一回選択されるパターンを繰り返す順番であって、そのパターンは、並設方向の一端側（図２中、右側であって、第１のノズル口Ｎ１）から１つずつ他端側（図２中、左側であって、第４のノズル口Ｎ４）に向かうパターンとされている。
【００４２】
次に、上記実施形態の効果を以下に記載する。
（１）電動ポンプ装置１１は、モータ１２の駆動力にて空気を吐出口１３から吐出するポンプ部１４と、吐出口１３と連通可能な第１から第４のアウトレットＢ１〜Ｂ４を有しモータ１２の駆動力にて吐出口１３と連通されるアウトレットＢ１〜Ｂ４を切り替える流路切替部１５を備える。よって、単一のモータ１２の駆動力にてポンプ部１４の吐出口１３から流体を吐出させることができるとともに流路切替部１５によって同じモータ１２の駆動力にて吐出口１３と連通されるアウトレットＢ１〜Ｂ４を切り替えることができる。よって、単一のモータ１２を有した構成で複数のアウトレットＢ１〜Ｂ４から順次空気を給送させることができ、例えば、本実施形態のように複数のノズル口Ｎ１〜Ｎ４から順次空気を噴射させることができる。即ち、同構成では、例えば、ノズル口Ｎ１〜Ｎ４毎に電動ポンプ装置（モータ及びポンプ部）を設ける構成に比べて電動ポンプ装置１１の数を減らすことができ、空気を分岐させるものに比べて電動ポンプ装置１１の小型化を図ることができ、小型としながら複数箇所に空気を良好に給送することができる。
【００４３】
（２）直動部材３１は、モータ１２の駆動力にて一方向に付勢されて動作し、圧縮コイルばね３３の付勢力にて他方向に付勢されて動作する。このようにすると、モータ１２の駆動力を一方向にのみ伝達すればよく、モータ１２と直動部材３１とを駆動連結する構成が簡単となる。即ち、本実施形態のように、ピストン２５の往動時にのみ直動部材３１を付勢すればよいだけの簡単な構成とすることができる。
【００４４】
（３）直動部材３１は、ポンプ部１４のピストン２５にて付勢されて動作するため、ポンプ部１４のピストン２５が直動部材３１を一方向に付勢する機構を（空気を吐出する機構と）兼ねることになり、例えば直動部材３１を付勢する機構を別途有する構成に比べて、簡単な構成とすることができる。
【００４５】
（４）直動回転部材３６及び回転切替部材３７が直動部材３１の直線動作により周方向に回転する前の状態で、ポンプ部１４の吐出口１３からアウトレットＢ１〜Ｂ４までの流体の給送が完了するように設定されるため、吐出口１３と連通されるアウトレットＢ１〜Ｂ４が切り替えられる前に、アウトレットＢ１〜Ｂ４からの空気の給送が完了する。即ち、アウトレットＢ１〜Ｂ４が切り替えられている途中で空気が噴射されてしまうことがない。
【００４６】
（５）第１から第４のノズル口Ｎ１〜Ｎ４から予め設定された順番で空気を噴射させて車載カメラ３のカバーガラス４を洗浄するものであるため、各ノズル口Ｎ１〜Ｎ４に空気を給送する電動ポンプ装置１１を単一としながら小型化することが可能となる。
【００４７】
（６）前記予め設定された順番は、各ノズル口Ｎ１〜Ｎ４が１つずつ選択されるとともに各ノズル口Ｎ１〜Ｎ４が一回選択されるパターンを繰り返す順番であるため、各ノズル口Ｎ１〜Ｎ４から噴射される空気によりカバーガラス４を順次均等に洗浄することができる。また、前記パターンは、第１から第４のノズル口Ｎ１〜Ｎ４の並設方向の一端側から１つずつ他端側に向かうパターンであるため、カバーガラス４を前記並設方向の一端側から他端側に向けて順次均等に洗浄することができる。
【００４８】
（７）第１から第４のノズル口Ｎ１〜Ｎ４は、単一のカバーガラス４に向けて開口しており、各ノズル口Ｎ１〜Ｎ４から噴射される空気の噴射軸線Ｆ１〜Ｆ４が同軸上ではない方向に設定されるため、カバーガラス４の広い領域を良好に洗浄することができる。
【００４９】
（８）第１から第４のノズル口Ｎ１〜Ｎ４は、カバーガラス４の反重力方向側に配置されるため、重力方向に向かって空気を噴射することができ、重力に抗して噴射する場合に比べて、良好にカバーガラス４を洗浄することができる。
【００５０】
上記実施形態は、以下のように変更してもよい。
・上記実施形態では、各ノズル口Ｎ１〜Ｎ４は、各噴射軸線Ｆ１〜Ｆ４がカバーガラス４の正面から見て重力方向を向くように設定されるとしたが、これに限定されず、各噴射軸線Ｆ１〜Ｆ４がカバーガラス４の正面から見て重力方向に対して傾くように設定してもよい。
【００５１】
例えば、図１５に示すように、各ノズル口Ｎ１〜Ｎ４は、その噴射軸線Ｆ１〜Ｆ４が前記並設方向（図１５中、左右方向）における他端方向に向かって傾斜しているように変更してもよい。このようにすると、カバーガラス４上の汚れが前記並設方向における他端側に順次追いやられてカバーガラス４を良好に洗浄することができる。
【００５２】
また、上記実施形態では、第１から第４のノズル口Ｎ１〜Ｎ４は、カバーガラス４の反重力方向側に配置されるとしたが、これに限定されず、カバーガラス４の重力方向側に配置され、噴射軸線が反重力方向を向くように設定してもよい。
【００５３】
・上記実施形態では、第１から第４のノズル口Ｎ１〜Ｎ４（アウトレットＢ１〜Ｂ４）を有する構成としたが、複数であればよく、他の数に変更してもよい。
例えば、図１６に示すように、第１から第５のノズル口Ｎ１〜Ｎ５を有する構成としてもよい。なお、この例では、空気を噴射する順番の前記パターンは、ノズル口Ｎ１〜Ｎ５の並設方向の中央位置から始まり、前記並設方向の一端側と他端側とに交互に切り替わりつつ１つずつ前記並設方向の端部側に向かうパターンとされている。このようにすると、カバーガラス４を前記並設方向の中央位置から両端側に向けて順次均等に洗浄することができる。
【００５４】
また、図１７に示すように、上記別例（図１６参照）における第１から第５のノズル口Ｎ１〜Ｎ５の噴射軸線Ｆ１〜Ｆ５の設定を変更してもよい。即ち、この例（図１７参照）では、並設方向の中央位置の第１のノズル口Ｎ１は、その噴射軸線Ｆ１が前記並設方向に傾斜していない。そして、前記並設方向の一端側の第２及び第４のノズル口Ｎ２，Ｎ４は、その噴射軸線Ｆ２，Ｆ４が前記並設方向における一端方向に向かって傾斜し、前記並設方向の他端側の第３及び第５のノズル口Ｎ３，Ｎ５は、その噴射軸線Ｆ３，Ｆ５が前記並設方向における他端方向に向かって傾斜している。このようにすると、カバーガラス４上の汚れが前記並設方向における中央から両端側に順次追いやられてカバーガラス４を良好に洗浄することができる。
【００５５】
また、図１８に示すように、上記別例（図１６及び図１７参照）のように５つのノズル口Ｎ１〜Ｎ５を有する場合、流路切替部１５は、第１から第５のアウトレットＢ１〜Ｂ５を有する構成とする必要がある。具体的には、この例（図１８参照）では、流路切替部１５は、等角度（７２°）間隔で第１から第５のアウトレットＢ１〜Ｂ５を有し、回転切替部材３７の連通孔３７ｄは等角度（１８０°）間隔で２つ形成され、回転切替部材３７が３６°回転する毎に異なるアウトレットＢ１〜Ｂ５が順次、１つの連通孔３７ｄと連通されるように構成されている。なお、図１８に示す状態は、第１のアウトレットＢ１が連通孔３７ｄと連通した状態であり、その状態から回転切替部材３７を時計回り方向に３６°回転させていくと、回転される毎に第２から第５のアウトレットＢ２〜Ｂ５は、その順で連通孔３７ｄと連通される構成となっている。
【００５６】
また、アウトレット（ノズル口）の数や、空気を噴射する順番のパターンは、例えば、図１９（ａ）〜（ｆ）に示すように、変更してもよい。
具体的には、図１９（ａ）に示すように、流路切替部１５は、１５０°離間した第１及び第２のアウトレットＢ１，Ｂ２を有し、回転切替部材３７の連通孔３７ｄは等角度（６０°）間隔で６つ形成され、回転切替部材３７が３０°回転する毎に異なるアウトレットＢ１，Ｂ２が順次、１つの連通孔３７ｄと連通されるように構成してもよい。
【００５７】
また、図１９（ｂ）に示すように、流路切替部１５は、等角度（１２０°）間隔で第１〜第３のアウトレットＢ１〜Ｂ３を有し、回転切替部材３７の連通孔３７ｄは等角度（９０°）間隔で４つ形成され、回転切替部材３７が３０°回転する毎に異なるアウトレットＢ１〜Ｂ３が順次、１つの連通孔３７ｄと連通されるように構成してもよい。
【００５８】
また、図１９（ｃ）に示すように、流路切替部１５は、１３５°離間した第１及び第２のアウトレットＢ１，Ｂ２を有し、回転切替部材３７の連通孔３７ｄは等角度（９０°）間隔で４つ形成され、回転切替部材３７が４５°回転する毎に異なるアウトレットＢ１，Ｂ２が順次、１つの連通孔３７ｄと連通されるように構成してもよい。
【００５９】
また、図１９（ｄ）に示すように、流路切替部１５は、等角度（９０°）間隔で第１〜第４のアウトレットＢ１〜Ｂ４を有し、回転切替部材３７の連通孔３７ｄは１３５°離間して２つ形成され、回転切替部材３７が４５°回転する毎に異なるアウトレットＢ１〜Ｂ４が順次、１つの連通孔３７ｄと連通されるように構成してもよい。なお、この例では、連通孔３７ｄと連通されるアウトレットＢ１〜Ｂ４（ノズル口）が、一回選択されるパターンを繰り返すようにはなっていない。具体的には、図１９（ｄ）の状態から回転切替部材３７を時計回り方向に４５°回転させていくと、第１のアウトレットＢ１、第２のアウトレットＢ２、第３のアウトレットＢ３、第１のアウトレットＢ１、第４のアウトレットＢ４、第３のアウトレットＢ３、第２のアウトレットＢ２、第４のアウトレットＢ４といった順で連通孔３７ｄと連通する。
【００６０】
また、図１９（ｅ）に示すように、流路切替部１５は、等角度（１２０°）間隔で第１〜第３のアウトレットＢ１〜Ｂ３を有し、回転切替部材３７の連通孔３７ｄは基準となる連通孔３７ｄから時計回り方向に４０°離間したものと反時計回り方向に１６０°離間したものの３つ形成され、回転切替部材３７が４０°回転する毎に異なるアウトレットＢ１〜Ｂ３が順次、１つの連通孔３７ｄと連通されるように構成してもよい。なお、この例では、連通孔３７ｄと連通されるアウトレットＢ１〜Ｂ３（ノズル口）が、一回選択されるパターンを繰り返すようにはなっていない。具体的には、図１９（ｅ）の状態から回転切替部材３７を時計回り方向に４０°回転させていくと、第１のアウトレットＢ１、第２のアウトレットＢ２、第３のアウトレットＢ３、第３のアウトレットＢ３、第１のアウトレットＢ１、第２のアウトレットＢ２、第２のアウトレットＢ２、第３のアウトレットＢ３、第１のアウトレットＢ１といった順で連通孔３７ｄと連通する。
【００６１】
また、図１９（ｆ）に示すように、流路切替部１５は、等角度（６０°）間隔で第１〜第６のアウトレットＢ１〜Ｂ６を有し、回転切替部材３７の連通孔３７ｄは１５０°離間して２つ形成され、回転切替部材３７が３０°回転する毎に異なるアウトレットＢ１〜Ｂ６が順次、１つの連通孔３７ｄと連通されるように構成してもよい。なお、この例では、連通孔３７ｄと連通されるアウトレットＢ１〜Ｂ６（ノズル口）が、一回選択されるパターンを繰り返すようにはなっていない。具体的には、図１９（ｆ）の状態から回転切替部材３７を時計回り方向に３０°回転させていくと、第１のアウトレットＢ１、第２のアウトレットＢ２、第３のアウトレットＢ３、第４のアウトレットＢ４、第５のアウトレットＢ５、第１のアウトレットＢ１、第６のアウトレットＢ６、第３のアウトレットＢ３、第２のアウトレットＢ２、第５のアウトレットＢ５、第４のアウトレットＢ４、第６のアウトレットＢ６といった順で連通孔３７ｄと連通する。
【００６２】
・上記実施形態では、電動ポンプ装置１１は、モータ１２とポンプ部１４と流路切替部１５とが一体的に設けられた構成としたが、これに限定されず、それらが一体的に設けられていない（異なる筐体で設けられた）構成としてもよい。
【００６３】
例えば、図２０に模式的に示すように、モータ５１と第１ポンプ部５２とが一体的に設けられ、第２ポンプ部５３と流路切替部５４とが一体的に設けられ、それらがホースＨ２にて連通されて構成されたものとしてもよい。この例では、例えば、第１ポンプ部５２が遠心ポンプとされ、第２ポンプ部５３が第１ポンプ部５２からの空気によりピストン５５が駆動されるシリンダ型のものとされている。
【００６４】
・上記実施形態の流路切替部１５は、ポンプ部の吐出口と連通可能な複数のアウトレットを有しポンプ部を駆動するモータの駆動力にて吐出口と連通されるアウトレットを切り替えることができれば、他の構成に変更してもよい。
【００６５】
・上記実施形態では、直動部材３１は、モータ１２の駆動力にて一方向に付勢されて動作し、圧縮コイルばね３３の付勢力にて他方向に付勢されて動作する構成としたが、これに限定されず、例えば、モータの駆動力にて一方向及び他方向に動作する構成としてもよい。
【００６６】
・上記実施形態では、直動部材３１は、ポンプ部１４のピストン２５にて付勢されて動作する構成としたが、これに限定されず、例えばモータ１２の駆動力にて直動部材３１を付勢する機構を別途有する構成としてもよい。
【００６７】
・上記実施形態では、第１から第４のノズル口Ｎ１〜Ｎ４は単一のカバーガラス４に向けて空気を噴射するものとしたが、これに限定されず、複数のセンシング面（カバーガラスやレンズ等）に空気をそれぞれ噴射するものとしてもよい。また、車載センサ洗浄装置は、空気に限らず、洗浄液等の流体を噴射して洗浄するものとしてもよい。
【００６８】
例えば、図２１に示すように、変更してもよい。即ち、電動ポンプ装置１１は、第１及び第２のアウトレットＢ１，Ｂ２を有するもの（図１９（ｃ）参照）とし、第１及び第２のアウトレットＢ１，Ｂ２とそれぞれ連通した第１及び第２のノズル口Ｎ１，Ｎ２は、２つの車載カメラ６１，６２のセンシング面としてのレンズ６１ａ，６２ａに向けて空気をそれぞれ噴射するものとしてもよい。
【００６９】
また、例えば、図２２に示すように、変更してもよい。即ち、電動ポンプ装置１１は、第１から第５のアウトレットＢ１〜Ｂ５を有するもの（図１８参照）とし、第１から第４のアウトレットＢ１〜Ｂ４とそれぞれ連通した第１から第４のノズル口Ｎ１〜Ｎ４は、上記実施形態と同様のもの（１つのカバーガラス４に空気を噴射するもの）とし、第５のアウトレットＢ５と連通した第５のノズル口Ｎ５は、別途設けられた車載カメラ６３のレンズ６３ａに向けて空気を噴射するものとしてもよい。
【００７０】
・上記実施形態のカバーガラス４は、外表面が平坦面であるとしたが、これに限定されず、例えば、外表面が湾曲した湾曲面であるものとしてもよい。
・上記実施形態では、特に言及していないが、全てのノズル口Ｎ１〜Ｎ４から空気を噴射させることをサイクルとして、停止時はサイクルが終了するまで動作を継続するようにしてもよい。具体的には、例えば、電動ポンプ装置１１を制御する制御装置は、始動時は常に第１のアウトレットＢ１から空気を噴射させ、停止する旨の信号を受信した際等の停止時は第４の（サイクルの最後の）アウトレットＢ４から空気が噴射されるまではモータ１２を駆動させるようにしてもよい。このようにすると、例えば、動作させた際に一部のセンシング面が洗浄されずに動作が終了するといったことがなく、各ノズル口Ｎ１〜Ｎ４と対応したセンシング面を均等に洗浄することができる。
【００７１】
上記実施形態及び別例から把握できる技術的思想について、以下にその効果とともに記載する。
（イ）請求項３に記載の電動ポンプ装置であって、前記回転部材は、前記直動部材とその直線動作方向に当接可能に設けられ、前記直動部材の直線動作により付勢されることで予め設定された位置まで前記直動部材と共に直線動作し、前記予め設定された位置を越えると周方向に回転する直動回転部材と、前記直動回転部材と一体回転可能に設けられるとともに前記直動回転部材と直線動作方向に移動可能に設けられ、その回転位置に応じて前記アウトレットの少なくとも１つを閉塞して前記吐出口と連通される前記アウトレットを切り替える回転切替部材とを備えることを特徴とする電動ポンプ装置。
【００７２】
同構成によれば、モータの駆動力にて直動部材が直線動作されると、直動部材の直線動作により付勢されることで直動回転部材が予め設定された位置まで直動部材と共に直線動作し予め設定された位置を越えると周方向に回転する。そして、直動回転部材が回転すると回転切替部材が一体回転してその回転位置に応じてアウトレットの少なくとも１つが閉塞されて吐出口と連通されるアウトレットが切り替えられる。よって、具体的に、複数のアウトレットから順次流体を給送させることができる。
【００７３】
（ロ）請求項２に記載の電動ポンプ装置であって、前記回転部材が前記直動部材の直線動作により周方向に回転する前の状態で、前記ポンプ部の吐出口から前記アウトレットまでの流体の給送が完了するように設定されたことを特徴とする電動ポンプ装置。
【００７４】
同構成によれば、回転部材が直動部材の直線動作により周方向に回転する前の状態で、ポンプ部の吐出口からアウトレットまでの流体の給送が完了するように設定されるため、回転部材が回転して吐出口と連通されるアウトレットが切り替えられる前に、アウトレットからの流体の給送が完了する。
【符号の説明】
【００７５】
１２，５１…モータ、１３…吐出口、１４…ポンプ部、１５，５４…流路切替部、２４…シリンダ、２５，５５…ピストン、３１…直動部材、３１ｄ，３６ｄ…傾斜面、３３…圧縮コイルばね（付勢部材）、３６…回転部材の一部を構成する直動回転部材、３７…回転部材の一部を構成する回転切替部材、５２，５３…第１及び第２ポンプ部（ポンプ部）、Ｂ１〜Ｂ６…第１から第６のアウトレット。
【図１】
2018204591.tif 000003
【図２】
2018204591.tif 000004
【図３】
2018204591.tif 000005
【図４】
2018204591.tif 000006
【図５】
2018204591.tif 000007
【図６】
2018204591.tif 000008
【図７】
2018204591.tif 000009
【図８】
2018204591.tif 000010
【図９】
2018204591.tif 000011
【図１０】
2018204591.tif 000012
【図１１】
2018204591.tif 000013
【図１２】
2018204591.tif 000014
【図１３】
2018204591.tif 000015
【図１４】
2018204591.tif 000016
【図１５】
2018204591.tif 000017
【図１６】
2018204591.tif 000018
【図１７】
2018204591.tif 000019
【図１８】
2018204591.tif 000020
【図１９】
2018204591.tif 000021
【図２０】
2018204591.tif 000022
【図２１】
2018204591.tif 000023
【図２２】
2018204591.tif 000024